(57)【要約】【課題】印刷装置をスタンドアローンで使用するユーザに対しても、印刷処理の停止等の通知を可能にする。【解決手段】画像データに基づいて印刷処理を実行する印刷装置において、印刷装置から送信される停止通知信号を受信して音声と表示のいずれか一方もくしは両方で出力する無線ユニット５５を着脱自在に装着する装着部５８と、無線ユニット５５が装着部５８に装着されているか否かを検出する着脱検出部７３ａと、無線ユニット５５が装着部５８に装着されていない場合、印刷処理が停止すると印刷処理停止を通知する停止通知信号を無線ユニット５５に送信する無線送信部７３ｂとを備える。【選択図】      図１
2004216734.tif 000002
【特許請求の範囲】
【請求項１】
画像データに基づいて印刷処理を実行する印刷装置において、
無線ユニットを着脱自在に装着する装着部と、
前記無線ユニットの前記装着部に対する着脱を検出する着脱検出部と、
前記着脱検出部が前記無線ユニットの前記装着部からの脱着を検出し、前記印刷装置が印刷処理を停止した時、前記無線ユニットに印刷処理停止を通知する停止通知信号を送信する無線送信部と
を備えることを特徴とする印刷装置。
【請求項２】
前記着脱検出部が前記無線ユニットの前記装着部からの脱着を検出している間、前記無線送信部は前記無線ユニットに所定周期で確認信号を送信すること
を特徴とする請求項１に記載の印刷装置。
【請求項３】
前記印刷装置は、前記無線ユニットを呼び出す呼び出し信号を送信する呼び出しスイッチを備え、
前記着脱検出部が前記無線ユニットの前記装着部からの脱着を検出している場合、前記呼び出しスイッチが操作されると前記無線送信部は前記無線ユニットに前記呼び出し信号を送信すること
を特徴とする請求項１または請求項２のいずれかに記載の印刷装置。
【請求項４】
前記無線送信部は前記無線ユニットに停止通知信号を送信後、所定時間経過しても前記着脱検出部が前記無線ユニットの前記装着部への装着を検出しない場合、前記無線送信部は停止通知信号を前記無線ユニットに再送信すること
を特徴とする請求項１ないし請求項３のいずれかに記載の印刷装置。
【請求項５】
前記停止通知信号を前記無線ユニットに再送信する時間間隔及び送信回数のいずれか一方もしくは両方を任意に設定できる設定手段を備えること
を特徴とする請求項４に記載の印刷装置。
【請求項６】
前記停止通知信号は、印刷処理を終了した印刷終了に加え、印刷処理停止の原因を特定するエラー情報を含むこと
を特徴とする請求項１ないし請求項５のいずれかに記載の印刷装置。
【請求項７】
前記着脱検出部が前記無線ユニットの前記装着部からの脱着を検出している間、新しい印刷処理を受け付けないこと
を特徴とする請求項１ないし請求項６のいずれかに記載の印刷装置。
【請求項８】
画像データに基づいて印刷処理を実行する印刷装置の装着部に着脱自在な無線ユニットであって、
前記無線ユニットの前記装着部に対する着脱を検出する着脱検出部と、
前記着脱検出部が前記無線ユニットの前記装着部からの脱着を検出した時、前記印刷装置の無線送信部から送信される停止通知信号を受信する無線受信部と、前記無線受信部が受信した前記停止通知信号を音と表示のいずれか一方もくしは両方で出力する出力部と
を備えることを特徴とする無線ユニット。
【請求項９】
前記着脱検出部が前記無線ユニットの前記装着部からの脱着を検出し、前記無線受信部が前記無線送信部から送信される確認信号を所定時間受信しない場合、前記出力部は確認信号受信不可を音と表示のいずれか一方もくしは両方で出力すること
を特徴とする請求項８に記載の無線ユニット。
【請求項１０】
画像データに基づいて印刷処理を実行する印刷装置と、前記印刷装置に着脱自在な無線ユニットとを含む印刷システムであって、
前記印刷装置は、前記無線ユニットを着脱自在に装着する装着部と、前記無線ユニットの前記装着部に対する着脱を検出する着脱検出部と、前記着脱検出部が前記無線ユニットの前記装着部からの脱着を検出し、前記印刷装置が印刷処理を停止した時、前記無線ユニットに印刷処理停止を通知する停止通知信号を送信する無線送信部とを備え、
前記無線ユニットは、前記無線ユニットの前記装着部に対する着脱を検出する着脱検出部と、前記着脱検出部が前記無線ユニットの前記装着部からの脱着を検出した時、前記無線送信部から送信される前記停止通知信号を受信する無線受信部と、前記無線受信部が受信した前記停止通知信号を音と表示のいずれか一方もくしは両方で出力する出力部とを備えること
を特徴とする印刷システム。
【発明の詳細な説明】
【０００１】
【発明の属する技術分野】
本発明は、画像データに基づいて印刷処理を実行すると共に、印刷処理が停止したとき無線ユニットに印刷処理停止を送信する無線送信部を有する印刷装置、印刷装置に着脱自在で無線送信部から送信される印刷処理停止を受信／出力する無線ユニット、及び上記印刷装置と上記無線ユニットとを含む印刷システムに関する。
【０００２】
【従来の技術】
ＬＡＮ（Ｌｏｃａｌ  Ａｒｅａ  Ｎｅｔｗｏｒｋ）等のネットワーク環境下において、１台の印刷装置をネットワークプリンタとして複数ユーザが共有する印刷システムが普及している。
【０００３】
このような印刷システムを構成する従来の印刷装置には、ネットワークを介してユーザからの印刷要求を受け付け、印刷が停止した際に、そのユーザにメールを送信する、ユーザの端末装置にダイヤログボックスを表示する、あるいはユーザの電話番号に電話する等により、印刷処理の完了やエラー発生等の通知を行う技術などが提案されている（特許文献１〜３を参照）。
【０００４】
また、使用中／未使用中の情報を無線信号で印刷装置から使用状況表示器に送信する技術（特許文献４を参照）、印刷用紙切れが近いことを無線端末機に無線送信する技術（特許文献５を参照）、印刷処理状況を印刷装置にインタフェース接続された携帯型無線装置Ａから携帯型無線装置Ｂに無線送信する技術（特許文献６を参照）、印刷装置に着脱可能な操作ユニットから印刷装置に対して無線通信による遠隔操作が可能な技術（特許文献７を参照）なども開示されている。
【０００５】
【特許文献１】
特開平１０−２８５３２４号公報
【０００６】
【特許文献２】
特開平１０−２６９０９１号公報
【０００７】
【特許文献３】
特開２０００−１８４１８３号公報
【０００８】
【特許文献４】
特開２００１−３６６８２号公報
【０００９】
【特許文献５】
特開平１１−２６５２７０号公報
【００１０】
【特許文献６】
特開平１０−３２２４９１号公報
【００１１】
【特許文献７】
特開平８−３０５５１９号公報
【００１２】
【発明が解決しようとする課題】
しかしながら、特許文献１〜３に記載されているような印刷システムや印刷装置は、電子化された原稿を、ネットワークを介して印刷装置に送信し、印刷する場合を考慮したもので、電子化されていない原稿を直接印刷装置に読み取らせて印刷する場合については、全く考慮されていない。また、特許文献４〜６に記載されているように、無線通信により印刷装置の状況を通知する場合、無線装置を持つユーザにしか通知することができない。
【００１３】
従って、ネットワークを介さず原稿を印刷装置に読み取らせて印刷（スタンドアローン）するユーザは、印刷開始後にその場から離れると印刷装置から印刷終了等の通知を受けることができないので、印刷が終了するまで印刷装置から離れることができず、効率が悪かった。また、印刷中のユーザＡが印刷装置を離れると、次にその印刷装置を使用したいユーザＢは、印刷装置が使用中か否か（印刷装置を自分が使用しても良いのか否か）を判断できない場合があり、印刷作業を効率良く行うことができなかった。
【００１４】
本発明は、以上に述べた状況を鑑みて成されたものであり、印刷装置をネットワークを介さないで使用するユーザに対しても、印刷処理の停止等の通知が可能で、印刷作業を効率良く行うことができる印刷装置、無線ユニット、及び印刷システムを提供することを目的とする。
【００１５】
【課題を解決するための手段】
本発明に係る印刷装置の特徴は、画像データに基づいて印刷処理を実行する印刷装置において、無線ユニットを着脱自在に装着する装着部と、前記無線ユニットの前記装着部に対する着脱を検出する着脱検出部と、前記着脱検出部が前記無線ユニットの前記装着部からの脱着を検出し、前記印刷装置が印刷処理の停止した時、前記無線ユニットに印刷処理停止を通知する停止通知信号を送信する無線送信部とを備えることにある。
【００１６】
また、本発明に係る無線ユニットの特徴は、画像データに基づいて印刷処理を実行する印刷装置の装着部に着脱自在な無線ユニットであって、前記無線ユニットの前記装着部からの着脱を検出する着脱検出部と、前記着脱検出部が前記無線ユニットの前記装着部からの脱着を検出した時、前記印刷装置の無線送信部から送信される停止通知信号を受信する無線受信部と、前記無線受信部が受信した前記停止通知信号を音と表示のいずれか一方もくしは両方で出力する出力部とを備えることにある。
【００１７】
また、本発明に係る印刷システムの特徴は、画像データに基づいて印刷処理を実行する印刷装置と、前記印刷装置に着脱自在な無線ユニットとを含む印刷システムであって、前記印刷装置は、前記無線ユニットを着脱自在に装着する装着部と、前記無線ユニットの前記装着部に対する着脱を検出する着脱検出部と、前記着脱検出部が前記無線ユニットの前記装着部からの脱着を検出し、前記印刷装置が印刷処理を停止した時、前記無線ユニットに印刷処理停止を通知する停止通知信号を送信する無線送信部とを備え、前記無線ユニットは、前記無線ユニットの前記装着部に対する着脱を検出する着脱検出部と、前記着脱検出部が前記無線ユニットの前記装着部からの脱着を検出した時、前記無線送信部から送信される前記停止通知信号を受信する無線受信部と、前記無線受信部が受信した前記停止通知信号を音と表示のいずれか一方もくしは両方で出力する出力部とを備えることにある。
【００１８】
ここで、停止通知信号には、印刷処理を終了した「印刷終了」に加え、印刷用紙やインク、トナー等の「消耗品切れ」や「その他」による印刷処理停止の原因を特定するエラー情報が含まれる。
【００１９】
このような構成によれば、印刷装置をスタンドアローンで使用する場合、印刷処理中にユーザが印刷装置から離れても、印刷装置は印刷処理を停止すると停止通知信号を無線ユニットに送信し、無線ユニットは停止通知信号を受信すると停止通知信号に含まれる印刷処理停止の原因を特定するエラー情報を音と表示のいずれか一方もしくは両方で出力して、無線ユニットを携帯するユーザに印刷処理停止と印刷処理停止の原因とを認識させることができる。
【００２０】
さらに、前記印刷装置において、前記無線ユニットに呼び出し信号を送信する呼び出しスイッチを備え、前記着脱検出部が前記無線ユニットの前記装着部からの脱着を検出している場合、前記呼び出しスイッチが操作されると前記無線送信部は前記無線ユニットに前記呼び出し信号を送信し、前記無線ユニットにおいて、前記無線受信部が前記無線送信部から送信される呼び出し信号を受信すると、前記出力部は前記呼び出し信号を音と表示のいずれか一方もくしは両方で出力することもできる。
【００２１】
このような構成によれば、印刷装置の着脱検出部が無線ユニットの装着部からの脱着を検出し、印刷装置が印刷装置を停止している時、ユーザは呼び出しスイッチを操作することで無線ユニットに呼び出し信号を送信することができ、無線ユニットを携帯するユーザを印刷装置まで呼び戻すことができる。また、無線ユニットの紛失等を防止することも可能である。
【００２２】
さらに、前記印刷装置において、前記無線送信部が無線ユニットに停止通知信号を送信後、所定時間経過しても前記着脱検出部が前記無線ユニットの前記装着部への装着を検出しない場合、前記無線送信部は前記停止通知信号を前記無線ユニットに再送信し、前記無線ユニットにおいて、前記無線受信部が再送信される前記停止通知信号を受信すると、前記出力部は音と表示のいずれか一方もくしは両方で出力するように構成することもできる。
【００２３】
さらに、前記印刷装置において、停止通知信号を無線ユニットに再送信する時間間隔及び送信回数のいずれか一方もしくは両方を設定手段から任意に設定できるように構成することもできる。
【００２４】
このような構成によれば、無線ユニットを携帯するユーザが印刷処理停止の出力を見逃しても、所定時間経過すると停止通知信号が自動的に所定回数繰り返し送信され、無線ユニットは停止通知信号を受信／出力するので、ユーザは印刷処理停止を認識することができる。また、停止通知信号を再送信する時間間隔及び送信回数をユーザが操作パネル等の設定手段から任意に設定できるので、使い勝手も向上する。
【００２５】
さらに、前記印刷装置において、前記着脱検出部が前記無線ユニットの前記装着部からの脱着を検出している間、前記無線送信部は前記無線ユニットに所定周期で確認信号を送信し、前記無線ユニットにおいて、前記着脱検出部が前記無線ユニットの前記装着部からの脱着を検出し、前記無線受信部が前記無線送信部から送信される前記確認信号を所定時間受信しない場合、前記出力部は「確認信号受信不可」を音と表示のいずれか一方もくしは両方で出力するように構成することもできる。
【００２６】
このような構成によれば、無線ユニットは、無線ユニットを携帯するユーザに印刷装置から送信される確認信号を受信できない場所に所定時間以上存在することの警告を与えることができる。
【００２７】
あるいは、前記印刷装置において、着脱検出部が前記無線ユニットの前記装着部からの脱着を検出している間、新しい印刷処理を受け付けないように構成することもできる。
【００２８】
このような構成によれば、ユーザが印刷用紙やインク、トナー等の消耗品切れやその他の原因による印刷処理停止により印刷装置を離れる場合でも、無線ユニットを携帯することで、他のユーザの割り込み操作を防止できる。特に、印刷システムに孔版印刷装置が使用されている場合、他のユーザの割り込みにより印刷中の孔版原紙が廃棄されることを防止できる。
【００２９】
【発明の実施の形態】
以下、図１から図１６を参照して、本発明の実施の形態について孔版印刷装置を使用した印刷システムを例に詳しく説明する。なお、各図面を通じて同一もしくは同等の部位や構成要素には、同一もしくは同等の参照符号を付し、その説明を省略もしくは簡略化する。
【００３０】
［孔版印刷システムの構成］
図１から図３に示すように、孔版印刷装置は主要な構成要素として、孔版印刷装置から送信された停止通知信号を受信して音と表示のいずれか一方もくしは両方で出力する無線ユニット５５を着脱自在に装着する装着部５８と、無線ユニット５５の装着部５８に対する着脱を検出する着脱検出部７３ａと、着脱検出部７３ａが無線ユニット５５の装着部５８への装着を検出しない時、孔版印刷装置の印刷処理が停止すると停止通知信号を無線ユニット５５に送信する無線送信部７３ｂと、無線ユニット５５に呼び出し信号を送信する呼び出しスイッチ５７を備える。
【００３１】
さらに、孔版印刷装置は、無線ユニット５５に停止通知信号を送信してから所定時間経過しても、着脱検出部７３ａが無線ユニット５５の装着部５８への装着を検出しない場合、無線ユニット５５に停止通知信号を再送信する機能を有する。
【００３２】
また、孔版印刷装置は、着脱検出部７３ａが無線ユニット５５の装着部５８への脱着を検出すると、無線ユニット５５に確認信号を所定周期で送信する機能を有する。
【００３３】
また、孔版印刷装置は、その動作モードがネットワークを介さず、スタンドアローンで使用する（ＬＯＣＡＬモード）場合のみ、無線ユニット５５の装着部５８からの脱着を可能とする機能を有する。
【００３４】
あるいは、孔版印刷装置は、着脱検出部７３ａが無線ユニット５５の装着部５８への装着を検出しない（ＬＯＣＡＬモード）期間、新しい印刷処理を受け付けないように構成しても良い。
【００３５】
図４から図６に示すように、無線ユニット５５は孔版印刷装置の装着部５８に着脱自在に装着され、主要な構成要素として、無線ユニット５５の装着部５８に対する着脱を検出する着脱検出部７０、着脱検出部７０が無線ユニット５５の装着部５８からの脱着を検出している時、無線送信部７３ｂから送信される停止通知信号を受信する無線受信部７１、受信した停止通知信号を音と表示のいずれか一方もしくは両方で出力する出力部６０等を備える。
【００３６】
また、制御部６６は、無線受信部７１が無線送信部７３ｂから再送信される停止通知信号を受信すると、停止通知信号に応じて出力部６０を制御して音と表示のいずれか一方もしくは両方で出力する。
【００３７】
さらに、制御部６６は、無線受信部７１が無線送信部７３ｂから所定周期で送信される確認信号を受信するとタイマーをオンし、次の確認信号を受信するとタイマーをオフし、再度タイマーをオンする。確認信号を所定時間受信しない場合は、音と表示のいずれか一方もしくは両方で、孔版印刷装置からの確認信号を所定時間受信できない旨（確認信号受信不可）を出力する。
【００３８】
〔孔版印刷装置〕
図１に示すように、孔版印刷装置は、制御部７４、外部インタフェース部７５、操作パネル５１、無線通信部７３、読み取り部１、製版部２、印刷部３、給紙部４、排紙部５、排版部６等を備える。
【００３９】
制御部７４は、図示しない処理装置（ＣＰＵ）、ＲＡＭ、ＲＯＭ、記憶手段（例えばハードディスク）等で構成され、処理装置はＲＯＭや記憶手段に記憶されたプログラムやデータをＲＡＭに読み出して処理し、処理結果に基づいて印刷装置全体を制御する。
【００４０】
外部インタフェース部７５は、孔版印刷装置がネットワーク等を介して他装置と接続するための機能を有する。
【００４１】
操作パネル５１は、ユーザとのインタフェースを実現するため孔版印刷装置の上部に配置され、図３に例示するようにユーザの指示を入力するキー入力部５２、各種情報を表示する表示部５３、無線ユニット５５を装着する装着部５８、無線ユニット５５を装着部５８から脱着する脱着ボタン５６が設けられている。
【００４２】
さらに、操作パネル５１は、無線ユニット５５に呼び出し信号を送信する呼び出しスイッチ５７、給電等のためのコネクタ５４が設けられている。なお、装着部５８、コネクタ５４、脱着ボタン５６、呼び出しスイッチ５７等は、孔版印刷装置の別の場所に設けられていても良い。
【００４３】
無線通信部７３は、無線ユニット５５が装着部５８に装着されているか否かを検出する着脱検出部７３ａ、無線ユニット５５に各種信号を送信するための無線送信部７３ｂで構成されている。
【００４４】
さらに図２に示すように、読み取り部１は、印刷すべき原稿が載置される原稿セット台１０、原稿セット台１０上の原稿の有無を検出する反射型の原稿センサ１１，１２、原稿セット台１０の原稿を搬送する原稿搬送ロール対１３，１４、原稿搬送ロール対１３，１４を回転駆動するステッピングモータ１５、原稿搬送ロール対１３，１４によって搬送される原稿の画像を光学的に読み取り、これを電気信号に変換する密着型のイメージセンサ１６、原稿セット台１０より排出される原稿を載置する原稿排出トレー１７などを有する。原稿セット台１０に載置された原稿は原稿搬送ロール対１３，１４によって搬送され、搬送された原稿の画像をイメージセンサ１６が読み取る。
【００４５】
製版部２は、ロールされた長尺状の孔版原紙１８を収容する原紙収容部１９、原紙収容部１９の搬送下流に配置されたサーマルヘッド２０、サーマルヘッド２０の対向位置に配置されたプラテンロール２１、プラテンロール２１及びサーマルヘッド２０の搬送下流に配置された原紙送りロール対２２、プラテンロール２１及び原紙送りロール対２２を回転駆動するライトパルスモータ２３、原紙送りロール対２２の搬送下流に配置された原紙カッタ２４などを有する。プラテンロール２１と原紙送りロール対２２の回転により長尺状の孔版原紙１８を搬送し、イメージセンサ１６で読み取られた画像データに基づきサーマルヘッド２０により、孔版原紙１８を感熱穿孔して製版し、製版された孔版原紙１８を原紙カッタ２４で切断して所定長さの孔版原紙１８を作製する。
【００４６】
印刷部３は、外周部分が多孔構造によるインク通過性の部材で構成され、ドラム駆動モータ２５の駆動力によって図１のＡ矢印方向に回転する版胴２６、版胴２６の外周面に設けられ、孔版原紙１８の先端をクランプする原紙クランプ部２７、版胴２６の検出片２８ａを検出することによって版胴２６の外周面に孔版原紙１８が巻装されているか否かを検出する原紙確認センサ２８、版胴２６の検出片２９を検出することによって版胴２６の基準位置を検出する基準位置検出センサ３０、ドラム駆動モータ２５の回転を検出するロータリエンコーダ３１などを有する。基準位置検出センサ３０の検出出力を基にロータリエンコーダ３１の出力パルスを検出することによって、版胴２６の回転位置を検出することができる。
【００４７】
また、印刷部３は、版胴２６の内部に配置されたスキージロール３２、スキージロール３２に近接配置されたドクターロール３３を有し、スキージロール３２とドクターロール３３とで囲まれた外周スペースにインク３４が溜められている。回転するスキージロール３２の外周に付着するインク３４がドクターロール３３との隙間を通ることで、スキージロール３２には所定膜厚のインク３４のみが付着され、この所定膜厚のインク３４が版胴２６の内周面に供給される。また、スキージロール３２の対向位置で、且つ、版胴２６の外側位置には、プレスロール３５が設けられている。プレスロール３５は、ソレノイド装置３６の駆動力によって版胴２６の外周面を押圧する押圧位置と、版胴２６の外周面から離間する待機位置との間で変位可能に構成されており、給紙に同期して印刷用紙３７が版胴２６の下部を通過する際のみ押圧位置に変位され、それ以外の時には待機位置に変位される。
【００４８】
そして、製版部２から搬送される孔版原紙１８の先端を原紙クランプ部２７でクランプし、このクランプした状態で版胴２６が回転されて孔版原紙１８が版胴２６の外周面に巻装され、版胴２６の回転に同期して給紙部４より搬送される印刷用紙３７をプレスロール３５で版胴２６の孔版原紙１８に押圧することによって孔版原紙１８の穿孔からインク３４が印刷用紙３７に転写されて原稿の画像が印刷される。
【００４９】
給紙部４は、印刷用紙３７が載置される給紙台３８、給紙台３８から最上位置の印刷用紙３７のみを搬送させる１次給紙ロール３９，４０、１次給紙ロール３９，４０によって搬送された印刷用紙３７を版胴２６の回転に同期して版胴２６とプレスロール３５の間に搬送する２次給紙ロール対４１、２次給紙ロール対４１間に印刷用紙３７が搬送されたか否かを検出する給紙センサ４２などを有する。１次給紙ロール３９，４０には給紙クラッチ４３を介してドラム駆動モータ２５の回転が選択的に伝達されるように構成されている。
【００５０】
排紙部５は、印刷処理された印刷用紙３７を版胴２６から分離する用紙分離爪４４、用紙分離爪４４により版胴２６から剥離された印刷用紙３７が搬送される搬送通路４５、搬送通路４５より排紙される印刷用紙３７が載置される排紙台４６などを有する。排紙台４６には、サイドフェンス７９，８０とエンドフェンス８１が設けられている。
【００５１】
排版部６は、版胴２６より排版する孔版原紙１８を引き剥がしながら搬送する排版搬送ロール対４７、排版搬送ロール対４７を回転駆動する排版モータ４８、排版搬送ロール対４７により搬送されて来る孔版原紙１８を収納する排版ボックス４９、排版搬送ロール対４７により孔版原紙１８が排版ボックス４９に搬送されたか否かを検出する排版センサ５０などを有する。
【００５２】
また、装置本体の下部には、給紙架台２０３が配置されており、印刷部３に印刷用紙３７を供給する架台上給紙部２１２と架台下給紙部２１３とを備えている。架台上給紙部２１２は、印刷用紙３７を載置する給紙台２１８、給紙台２１８に積載された最上位の印刷用紙３７を１枚ずつ搬送する１次給紙ロール２１９、１次給紙ロール２１９によって搬送された印刷用紙３７を２次給紙ロール対４１に搬送する２組の上搬送ロール対２２０を有する。架台下給紙部２１３は、印刷用紙３７を載置する給紙台２２４、給紙台２２４に積載された最上位の印刷用紙３７を１枚ずつ搬送する１次給紙ロール２２５、１次給紙ロール２２５によって搬送された印刷用紙３７を上搬送ロール対２２０に搬送する２組の下搬送ロール対２２６を有する。つまり、本孔版印刷装置は、３つの給紙台３８，２１８，２２４を備え、この３つの給紙台３８，２１８，２２４より選択的に印刷用紙３７を印刷部３に供給することができる。
【００５３】
〔無線ユニット〕
図４から図６に示すように、無線ユニット５５は、装着部５８に対する着脱を検出する着脱検出部７０、無線送信部７３ｂから送信される各種信号を受信する無線受信部７１、受信した各種信号に応じ音と表示のいずれか一方もしくは両方で出力する出力部６０、無線ユニット５５の動作を制御する制御部６６及び音出力を停止する音停止スイッチ６４等を有する。さらに無線ユニット５５は、図６に示すようにコネクタ５４を介して電力等を孔版印刷装置から受電するコネクタ６４や図示しない充電池等を設け、無線ユニット５５が装着部５８に装着されている期間は充電されるように構成することもできる。
【００５４】
制御部６６は、記憶手段（例えばＩＣメモリ）６９及び図示しない処理装置（ＣＰＵ）、ＲＯＭ、ＲＡＭ等で構成され、処理装置がＲＯＭや記憶手段に記憶されたプログラムやデータをＲＡＭに読み出して処理することで無線ユニット５５を制御する。
【００５５】
出力部６０は、液晶表示部６１、ＬＥＤ６２ａからＬＥＤ６２ｃで構成されるＬＥＤ表示部６２、スピーカ部６３を介して音を出力する音出力部６７等を有する。
【００５６】
なお、図７に示すように、液晶表示部６１に代えて、ＬＥＤ６２ｄからＬＥＤ６２ｇとしても良い。またはその逆にＬＥＤ表示部６２を液晶表示部６１としても良い。
【００５７】
［孔版印刷装置の処理動作］
次に、図８から図１３に示すフローチャートを参照して、ユーザがネットワークを介さず原稿を孔版印刷装置に読み取らせて印刷作業を行うＬＯＣＡＬモードでの孔版印刷装置の処理動作について詳しく説明する。なお、以下に示す孔版印刷装置の処理動作は、制御部７４が孔版印刷装置の各部を制御することにより実現される。
【００５８】
〔製版／印刷処理〕
図８のフローチャートは、読み取り部１で原稿を読み取らせて印刷するスタンドアローン、即ちＬＯＣＡＬモードでの製版／印刷処理動作を示すもので、ユーザは孔版印刷装置まで原稿を持参し、表示部５３等を参照して孔版印刷装置が『ＲＥＭＯＴＥモード、ＳＴＡＮＤ  ＢＹ』であることを確認する。そして、操作パネル５１の図示しない切替キーによりＬＯＣＡＬモードに切り替え、読み取り部１に原稿をセットした後、キー入力部５２等により製版／印刷指示を入力し、操作パネル５１の図示しないスタートキーにより印刷開始を指示することで印刷処理が開始される。
【００５９】
なお、孔版印刷装置はＲＥＭＯＴＥモードの時、無線ユニット５５の装着部５８への装着は必須であり、ＬＯＣＡＬモードで新しい印刷指示を実行するためには、着脱検出部７３ａが無線ユニット５５の装着部５８への装着を検出することが前提である。
【００６０】
ステップＳ１の処理において、排版部６は、版胴２６の表面に巻装されている孔版原紙１８を排版ボックス４９に排版する。
【００６１】
ステップＳ２の処理において、読み取り部１は、原稿セット台１０にセットされた原稿の画像を読み取る。
【００６２】
ステップＳ３の処理において、製版部２は、読み取り部１が読み取った画像データに基づいて孔版原紙１８を製版する。
【００６３】
ステップＳ４の処理において、印刷部３は、製版部２により製版された孔版原紙１８を版胴２６に巻装する。
【００６４】
ステップＳ５の処理において、給紙部４は、印刷部３に印刷用紙３７を１枚給紙し、印刷部３は、プレスロール４１により版胴２６に巻装された孔版原紙１８に印刷用紙３７を押圧することにより、印刷用紙３７に原稿画像を印刷する。
【００６５】
ステップＳ６の処理において、排紙部５は、原稿画像が印刷された印刷用紙３７を排紙台４６に排紙する。
【００６６】
ステップＳ７の処理において、制御部７４は、ユーザに指示された枚数の印刷処理が完了したか否かを判別し、判別の結果、ユーザに指示された枚数の印刷処理が完了していない場合には、ステップＳ７の処理に戻る。一方、判別の結果、ユーザに指示された枚数の印刷処理が完了した場合には、着脱検出部７３ａが無線ユニット５５の装着部５８への装着を検出し、読み取り部１の原稿セット台１０に原稿がセットされていないことを検知すると、制御部７４は孔版印刷装置の動作モードをＲＥＭＯＴＥモードに切り替え、一連の印刷処理を終了する。
【００６７】
［孔版印刷装置と無線ユニットの処理］
図８のフローチャートに示す製版／印刷処理動作中、制御部７４は、着脱検出部７３ａの着脱検出部信号に基づいて無線ユニット５５が装着部５８から脱着されたか否かを判別し、図９から図１２のフローチャートに示す処理を実行する。
【００６８】
〔無線ユニット脱着検出処理〕
図９のフローチャートに示す無線ユニット脱着検出処理は、図８のフローチャートに示した製版／印刷処理が開始されると開始され、着脱検出部７３ａが無線ユニット５５の装着部５８への装着を検出し、製版／印刷処理が停止するまで待機状態となり、製版／印刷処理が停止すると終了される。
【００６９】
ステップＳ１１の処理において、制御部７４は、着脱検出部７３ａの着脱検出信号に基づいて無線ユニット５５が装着部５８から脱着されたか否かを判別する。無線ユニット５５が装着部５８から脱着されたと判別した場合、制御部７４は、図１０のフローチャートに示す確認信号送信処理に進む。一方、無線ユニット５５が装着部５８に装着されていると判別した場合、制御部７４はステップＳ１２の処理に進む。
【００７０】
ステップＳ１２の処理において、制御部７４は、製版／印刷処理が停止したか否かを判別する。そして、製版／印刷処理が停止していないと判別した場合、ステップＳ１１の処理に戻る。一方、製版／印刷処理が停止したと判別した場合、制御部７４は処理を終了する。
【００７１】
〔確認信号送信処理〕
図１０のフローチャートに示す確認信号送信処理は、図９のフローチャートのステップＳ１１の処理において、無線ユニット５５が装着部５８から脱着されたと判別した場合、実行される。
【００７２】
ステップＳ２１の処理において、無線送信部７３ｂは、制御部７４の制御に従って無線ユニット５５に所定周期の確認信号送信を開始する。
【００７３】
ステップＳ２２の処理において、制御部７４は、着脱検出部７３ａの着脱検出信号に基づいて無線ユニット５５が装着部５８に装着されているか否かを判別する。無線ユニット５５が装着部５８に装着されていないと判別した場合、制御部７４は、図１１のフローチャートに示す停止通知信号送信処理に進む。一方、無線ユニット５５が装着部５８に装着されていると判別した場合には、ステップＳ２３の処理に進む。
【００７４】
ステップＳ２３の処理において、無線送信部７３ｂは、制御部７４の制御に従って無線ユニット５５への確認信号の送信を停止し、制御部７４は処理をステップＳ１２に戻す。
【００７５】
〔停止通知信号送信処理〕
図１１のフローチャートに示す停止通知信号送信処理は、図１０のフローチャートのステップＳ２２の処理において、無線ユニット５５が装着部５８に装着されていないと判別した場合、実行される。
【００７６】
ステップＳ３１の処理において、制御部７４は、図８のフローチャートに示した製版／印刷処理が停止しているか否かを判別する。製版／印刷処理が停止していないと判別した場合、制御部７４は、ステップＳ２２の処理に戻る。一方、製版／印刷処理が停止していると判別した場合には、ステップＳ３２の処理に進む。
【００７７】
ステップＳ３２の処理において、制御部７４は停止通知信号送信回数を計数するカウンタをゼロにリセットし、ステップＳ３３の処理に進む。
【００７８】
ステップＳ３３の処理において、制御部７４は印刷処理停止のステータス情報を取得して、ステータス情報に応じた停止通知信号を送信するよう無線送信部７３ｂを制御する。制御部７４の制御に従って、無線送信部７３ｂは、ステータス情報に応じた停止通知信号を無線ユニット５５に送信する。ここで、ステータス情報は、製版／印刷処理が停止した印刷処理停止の原因を特定するエラー情報を意味し、より具体的には、印刷用紙３７がなくなり停止した「用紙切れ」、孔版原紙１８が無くなった「マスター切れ」、印刷用インク３４が無くなった「インク切れ」、その他の原因により孔版印刷装置が停止した「その他」及び所定枚数の印刷が正常に完了した「印刷終了」などがある。なお、制御部７４は、図８のフローチャートに示す製版／印刷処理の「製版動作中」や「印刷動作中」等の動作情報を取得して、動作情報に応じて無線送信部７３ｂを制御し、無線送信部７３ｂは制御部７４の制御に従って、動作情報を送信し、孔版印刷装置の動作状況を無線ユニット５５に表示する。そして、製版／印刷処理が停止した際には停止通知信号のみを無線ユニット５５に送信するようにしても良い。
【００７９】
ステップＳ３４の処理において、制御部７４は、停止通知信号送信回数に１加算する。さらに、制御部７４は、停止通知信号の再送信時間を計数するタイマーをオンし、ステップＳ３５の処理に進む。
【００８０】
ステップＳ３５の処理において、制御部７４は、着脱検出部７３ａの着脱検出信号に基づいて無線ユニット５５が装着部５８に装着されているか否かを判別する。そして、無線ユニット５５が装着部５８に装着されていないと判別した場合、図１２のフローチャートに示す再送信処理に進む。一方、無線ユニット５５が装着部５８に装着されていると判別した場合には、ステップＳ３６の処理に進む。
【００８１】
ステップＳ３６の処理において、無線送信部７３ｂは、制御部７４の制御に従って無線ユニット５５への確認信号の送信を停止し、さらに制御部７４はタイマーをオフし、処理をステップＳ１２に戻す。
【００８２】
〔再送信処理〕
図１２のフローチャートに示す再送信処理は、図１１のフローチャートのステップＳ３５の処理において、無線ユニット５５が装着部５８に装着されていないと判別した場合、実行される。
【００８３】
ステップＳ４１の処理において、制御部７４は、タイマーを参照して、無線ユニット５５に停止通知信号を送信してから所定時間経過したか否かを判別する。所定時間経過していないと判別した場合、制御部７４は、ステップＳ３５の処理に戻る。一方、所定時間経過したと判別した場合には、ステップＳ４２の処理に進む。
【００８４】
ステップＳ４２の処理において、制御部７４は、タイマーをオフし、ステップＳ４３の処理に進む。
【００８５】
ステップＳ４３の処理において、制御部７４は、無線ユニット５５に停止通知信号を送信した回数が、所定回数以下か否かを判別する。そして、所定回数以下と判別した場合、ステップＳ３３の処理に戻る。一方、所定回数以下でないと判別した場合、制御部７４はステップＳ４４の処理に進む。
【００８６】
ステップＳ４４の処理において、無線送信部７３ｂは、制御部７４の制御に従って無線ユニット５５への確認信号の送信を停止し、制御部７４は処理を終了する。
【００８７】
なお、停止通知信号を再送信する時間間隔（所定時間）及び送信回数（所定回数）のいずれか一方もしくは両方は、ユーザ側が操作パネル５１等の設定手段から任意に設定できるよう構成されている。
【００８８】
〔呼び出し信号送信処理〕
図１３のフローチャートに示す呼び出し信号送信処理は、呼び出しスイッチ５７が操作されると処理を開始し、呼び出し信号を送信すると処理を終了する。
【００８９】
ステップＳ５１の処理において、制御部７４は、呼び出しスイッチ５７が操作されたか否かを判別する。そして、呼び出しスイッチ５７が操作されたと判別した場合は、ステップＳ５２の処理に進む。一方、呼び出しスイッチ５７が操作されていないと判別した場合は、待機状態のままである。
【００９０】
ステップＳ５２の処理において、制御部７４は、着脱検出部７３ａの着脱検出信号に基づいて無線ユニット５５が装着部５８から脱着されているか否かを判別する。無線ユニット５５が装着部５８から脱着されていると判別した場合、ステップＳ５３の処理に進む。一方、無線ユニット５５が装着部５８から脱着されていないと判別した場合、制御部７４は処理を終了する。
【００９１】
ステップＳ５３の処理において、無線送信部７３ｂは、制御部７４の制御に従って無線ユニット５５に呼び出し信号を送信し、制御部７４は処理を終了する。
【００９２】
〔製版／印刷禁止処理〕
図１４のフローチャートに示す製版／印刷禁止処理は、図９のフローチャートに示す無線ユニット脱着検出処理手順と同様、ユーザが操作パネル５１の図示しないモード切替キーによりＬＯＣＡＬモードに切り替え、読み取り部１に原稿をセットした後、キー入力部５２により製版／印刷指示事項を入力し、図示しないスタートキーにより印刷開始を指示することで製版／印刷禁止処理の処理が開始され、着脱検出部７３ａが無線ユニット５５の装着部５８からの脱着を検出した場合、実行される。
【００９３】
ステップＳ６１の処理において、制御部７４は、着脱検出部７３ａの着脱検出信号に基づいて無線ユニット５５が装着部５８に装着されているか否かを判別する。無線ユニット５５が装着部５８に装着されていると判別した場合は、ステップＳ６２の処理に進む。
【００９４】
ステップＳ６２の処理において、制御部７４は、孔版印刷装置の製版／印刷処理が停止しているか否かを判別する。そして、製版／印刷処理が停止していると判別した場合、ステップＳ６５の処理に進む。一方、製版／印刷処理が停止していないと判別した場合、ステップＳ６３の処理に進む。
【００９５】
ステップＳ６３の処理において、表示部５３は、制御部７４の制御に従って、新たな製版／印刷処理受付可能の旨表示し、処理をステップＳ６１に戻す。
【００９６】
また、ステップＳ６１の処理において、無線ユニット５５が装着部５８に装着されていないと判別した場合、制御部７４はステップＳ６４の処理に進む。
【００９７】
ステップＳ６４の処理において、表示部５３は、制御部７４の制御に従って、新たな製版／印刷処理受付不可の旨表示し、新たな製版／印刷処理を不可能とする（例えば、読み取り部１からのデータを受け付けない等）処理を行う。そして、制御部７４は処理をステップＳ６１に戻す。
【００９８】
ステップＳ６５の処理において、製版／印刷処理が停止していると判別した場合、表示部５３は制御部７４の制御に従って、新たな製版／印刷処理受付不可もしくは可の表示をクリアし、制御部７４は処理を終了する。
【００９９】
［無線ユニットの処理］
図１５、図１６のフローチャートに示す無線ユニット５５の処理動作は、着脱検出部７０が無線ユニット５５の装着部５８からの脱着を検出した場合、実行される。
【０１００】
ステップＳ７１の処理において、制御部６６は着脱検出部７０の着脱検出信号に基づいて、無線ユニット５５が装着部５８から脱着されたか否かを判別する。そして、無線ユニット５５が装着部５８から脱着されたと判別した場合は、ステップＳ７２の処理に進む。一方、無線ユニット５５が装着部５８から脱着されていないと判別した場合は、待機状態のままである。
【０１０１】
ステップＳ７２の処理において、制御部６６は、確認信号を受信する時間間隔を計数するタイマーをオンにして、ステップＳ７３の処理に進む。
【０１０２】
ステップＳ７３の処理において、制御部６６は、無線受信部７１の受信信号に基づいて信号を受信したか否かを判別する。そして、信号を受信していないと判別した場合は、ステップＳ７４の処理に進む。
【０１０３】
ステップＳ７４の処理において、制御部６６はタイマーを参照して（装着部５８からの脱着検出後、または確認信号受信後）所定時間経過したか否かを判別する。そして、所定時間経過していないと判別した場合は、処理をステップＳ７３に戻す。一方、所定時間経過していると判別した場合、制御部６６はステップＳ７５の処理に進む。
【０１０４】
ステップＳ７５の処理において、液晶表示部６１，ＬＥＤ表示部６２，音出力部６７は制御部６６の制御に従って、無線受信部７１が無線送信部７３ｂから送信される確認信号を受信できない状態（例えば、確認信号受信不可）であることを、音と表示のいずれか一方もしくは両方で出力し、制御部６６はステップＳ７６の処理に進む。なお、制御部６６を構成する記憶手段６９等に音声言語データを記憶して、音出力を音声出力としても良い。
【０１０５】
ステップＳ７６の処理において、制御部６６は、音停止スイッチ６４が操作されたか否かを判別して、音停止スイッチ６４が操作されたと判別した場合、ステップＳ７７の処理に進む。一方、音停止スイッチ６４が操作されていないと判別した場合、制御部６６はステップＳ７８の処理に進む。
【０１０６】
ステップＳ７７の処理において、音出力部６７は制御部６６の制御に従って音出力を停止し、制御部６６はステップＳ７８の処理に進む。
【０１０７】
ステップＳ７８の処理において、制御部６６は着脱検出部７０の着脱検出信号に基づいて、無線ユニット５５が装着部５８に装着されているか否かを判別する。そして、無線ユニット５５が装着部５８に装着されていないと判別した場合、制御部６６はステップＳ７９の処理に進む。
【０１０８】
ステップＳ７９の処理において、制御部６６は、無線受信部７１の受信信号に基づいて信号を受信したか否かを判別する。そして、信号を受信したと判別した場合、制御部６６はステップＳ８０の処理に進む。一方、信号を受信していないと判別した場合、制御部６６は処理をステップＳ７５に戻す。
【０１０９】
ステップＳ８０の処理において、液晶表示部６１，ＬＥＤ表示部６２は制御部６６の制御に従って、受信不可の表示をクリアし、制御部６６はステップＳ８１の処理に進む。
【０１１０】
また、ステップＳ７８の処理において、無線ユニット５５が装着部５８に装着されていると判別した場合、制御部６６はステップＳ９４の処理に進む。
【０１１１】
ステップＳ９４の処理において、液晶表示部６１，ＬＥＤ表示部６２は制御部６６の制御に従って、表示をクリアし、制御部６６は処理を終了する。
【０１１２】
また、ステップＳ７３の処理において、無線受信部７１の受信信号に基づいて、信号を受信したと判別した場合は、制御部６６はステップＳ８１の処理に進む。
【０１１３】
ステップＳ８１の処理において、制御部６６は、無線受信部７１の受信信号が確認信号か否かを判別し、受信信号が確認信号であると判別した場合、ステップＳ８２の処理に進む。
【０１１４】
ステップＳ８２の処理において、制御部６６はタイマーをオフし、ステップＳ７２の処理に戻る。
【０１１５】
また、ステップＳ８１の処理において、受信信号が確認信号でないと判別した場合、制御部６６はステップＳ８３の処理に進む。
【０１１６】
ステップＳ８３の処理において、制御部６６は、無線受信部７１の受信信号が停止通知信号か否かを判別し、受信信号が停止通知信号であると判別した場合、ステップＳ８４の処理に進む。
【０１１７】
ステップＳ８４の処理において、制御部６６はタイマーをオフし、ステップＳ８５の処理に進む。
【０１１８】
ステップＳ８５の処理において、制御部６６は停止通知信号のステータスを解読して、ステータスが印刷終了か否かを判別する。そして、ステータスが印刷終了であると判別した場合、制御部６６はステップＳ８６の処理に進む。一方、ステータスが印刷終了でないと判別した場合、制御部６６はステップＳ８７の処理に進む。
【０１１９】
ステップＳ８６の処理において、液晶表示部６１，ＬＥＤ表示部６２，音出力部６７は制御部６６の制御に従って、印刷終了を音と表示のいずれか一方もしくは両方で出力する。そして、制御部６６はステップＳ９１の処理に進む。
【０１２０】
ステップＳ８７の処理において、液晶表示部６１，ＬＥＤ表示部６２，音出力部６７は制御部６６の制御に従って、ステータス情報を音と表示のいずれか一方もしくは両方で出力する。そして、制御部６６はステップＳ９１の処理に進む。
【０１２１】
一方、ステップＳ８３の処理において、受信信号が停止通知信号でないと判別した場合、制御部６６はステップＳ８８の処理に進む。
【０１２２】
ステップＳ８８の処理において、制御部６６は、無線受信部７１の受信信号が呼び出し信号か否かを判別し、受信信号が呼び出し信号であると判別した場合、ステップＳ８９の処理に進む。
【０１２３】
ステップＳ８９の処理において、制御部６６はタイマーをオフし、ステップＳ９０の処理に進む。
【０１２４】
ステップＳ９０の処理において、液晶表示部６１，ＬＥＤ表示部６２，音出力部６７は制御部６６の制御に従って、呼び出し信号を音と表示のいずれか一方もしくは両方で出力する。そして、ステップＳ９１の処理に進む。
【０１２５】
一方、ステップＳ８８の処理において、受信信号が呼び出し信号でないと判別した場合、制御部６６はステップＳ９６の処理に進む。
【０１２６】
ステップＳ９６の処理において、制御部６６は無線受信部７１の受信信号が受信エラーであると判別し受信信号をクリアし、ステップＳ７３の処理に進む。
【０１２７】
ステップＳ９１の処理において、制御部６６は音停止スイッチ６４が操作されたか否かを判別する。そして、音停止スイッチ６４が操作されたと判別した場合、制御部６６はステップＳ９２の処理に進む。一方、音停止スイッチ６４が操作されていないと判別した場合、ステップＳ９３の処理に進む。
【０１２８】
ステップＳ９２の処理において、音出力部６７は制御部６６の制御に従って音出力を停止し、制御部６６はステップＳ９３の処理に進む。
【０１２９】
ステップＳ９３の処理において、制御部６６は着脱検出部７０の着脱検出信号に基づいて、無線ユニット５５が装着部５８に装着されているか否かを判別する。そして、無線ユニット５５が装着部５８に装着されていないと判別した場合、制御部６６はステップＳ７２の処理に戻る。一方、無線ユニット５５が装着部５８に装着されていると判別した場合、制御部６６はステップＳ９４の処理に戻る。
【０１３０】
以上の説明から明らかなように、本実施の形態における孔版印刷印刷装置及び無線ユニット５５によれば、孔版印刷印刷装置は、製版／印刷処理が停止した際に無線ユニット５５に停止通知信号を送信し、無線ユニット５５は、受信した停止通知信号に応じて、印刷処理停止を液晶表示部６１，ＬＥＤ表示部６２，音出力部６７に、表示や音で出力してユーザに知らせることができる。従って、ネットワークを介さず紙の原稿を孔版印刷装置に読み取らせて（スタンドアローンで）印刷するような場合、ユーザは無線ユニット５５を携帯することで、孔版印刷装置の動作状況を知ることが可能となり、製版／印刷処理中であっても孔版印刷装置から離れることができる。
【０１３１】
また、孔版印刷装置は、無線ユニット５５の装着部５８に対する着脱を検出する着脱検出部７３ａを備え、着脱検出部７３ａが無線ユニット５５の装着部５８への装着を検出しない時、無線ユニット５５に停止通知信号を送信後、所定時間経過しても無線ユニット５５の装着部５８への装着が検出されない場合、停止通知信号を再送するので、無線ユニット５５を携帯するユーザが、停止通知信号を見逃した場合でも、自動的に所定回数繰り返し送信される停止通知信号により、ユーザに製版／印刷処理の停止を認識させることができる。
【０１３２】
また、孔版印刷装置は、製版／印刷処理が停止した原因を特定するステータス情報を無線ユニット５５に送信し、無線ユニット５５は、印刷処理停止のステータスを、液晶表示部６１，ＬＥＤ表示部６２，音出力部６７に音と表示のいずれか一方もしくは両方で出力するので、ユーザに印刷処理停止のステータスを知らせることができる。また、表示されたステータスが消耗品切れの場合、ユーザは必要な消耗品を迅速に用意することができる。
【０１３３】
さらに、孔版印刷装置は、操作パネル５１の呼び出しスイッチ５７が操作されると無線ユニット５５に呼び出し信号を送信するので、印刷途中で孔版印刷装置から離れたまま戻らない無線ユニット５５を携帯するユーザを、孔版印刷装置を使用したい別のユーザは呼び出すことができる。また、無線ユニット５５は呼び出し信号を受信すると、呼び出しを音と表示のいずれか一方もしくは両方で出力するので、無線ユニット５５の紛失も防止できる。
【０１３４】
また、孔版印刷装置から送信される確認信号を所定時間受信しない場合、無線ユニット５５は、孔版印刷装置からの信号受信が不能である旨を、液晶表示部６１，ＬＥＤ表示部６２，音出力部６７に、音と表示のいずれか一方もしくは両方で出力するので、無線ユニット５５を携帯するユーザが、確認信号を受信できない場所に所定時間以上滞在できないよう、警告を与えることができる。
【０１３５】
さらに、孔版印刷装置は、新たに製版／印刷処理を開始する場合には、無線ユニット５５の装着部５８への装着が条件なので、孔版印刷装置を使用中のユーザが消耗品等を取りにその場を離れるような場合、無線ユニット５５を携帯することで、他ユーザの割り込みを防止できる。特に、特に、印刷装置が孔版印刷装置の場合、使用中の孔版原紙１８の排版を防止できる。
【０１３６】
以上、本発明の実施形態について詳細に説明したが、本発明は、その精神または主要な特徴から逸脱することなく、他の色々な形で実施することができる。
【０１３７】
例えば、本実施形態においては、孔版印刷装置を例に説明したが、例えば、凸版、凹版、平版、インクジェット方式、レーザー方式等、他の形式の印刷装置であっても良いし、コピー機能やファクシミリ機能等を含む複合印刷装置であっても良い。
【０１３８】
従って、前述の実施例はあらゆる点で単なる例示に過ぎず、限定的に解釈してはならない。本発明の範囲は、特許請求の範囲によって示すものであって、明細書本文には何ら拘束されない。さらに、特許請求の範囲の均等範囲に属する変形や変更は、全て本発明の範囲内のものである。
【０１３９】
【発明の効果】
本発明によれば、印刷装置をスタンドアローン（ＬＯＣＡＬモード）で使用するユーザが印刷処理途中でも、印刷装置を離れることを可能とし、ユーザの印刷作業効率を向上させることができる。
【図面の簡単な説明】
【図１】本実施の形態による孔版印刷装置の構成を例示するブロック図である。
【図２】図１に示す孔版印刷装置の製版／印刷処理部の構成を例示する概略構成図である。
【図３】図１に示す孔版印刷装置の操作パネルを例示する概略図である。
【図４】本実施の形態による無線ユニットの構成を例示するブロック図である。
【図５】図４に示す無線ユニットの外観を例示する概略図である。
【図６】装着部に無線ユニットを着脱する様子を例示する模式図である。
【図７】本実施の形態による無線ユニットの他の例を示す概略図である。
【図８】図１に示す孔版印刷装置の製版／印刷処理の処理手順を例示するフローチャートである。
【図９】図１に示す孔版印刷装置における、無線ユニット脱着検出処理の処理手順を例示するフローチャートである。
【図１０】図１に示す孔版印刷装置における、確認信号送信処理の処理手順を例示するフローチャートである。
【図１１】図１に示す孔版印刷装置における、停止通知信号送信処理の処理手順を例示するフローチャートである。
【図１２】図１に示す孔版印刷装置における、再送信処理の処理手順を例示するフローチャートである。
【図１３】図１に示す孔版印刷装置における、呼び出し信号送信処理の処理手順を例示するフローチャートである。
【図１４】図１に示す孔版印刷装置における、製版／印刷禁止処理の処理手順を例示するフローチャートである。
【図１５】図４に示す無線ユニットの処理手順（１／２）を例示するフローチャートである。
【図１６】図４に示す無線ユニットの処理手順（２／２）を例示するフローチャートである。
【符号の説明】
１…読み取り部
２…製版部
３…印刷部
４…給紙部
５…排紙部
６…排版部
１０…原稿セット台
１１，１２…原稿センサ
１３，１４…原稿搬送ロール対
１５…ステッピングモータ
１６…イメージセンサ
１７…原稿排出トレー
１８…孔版原紙
１９…原紙収容部
２０…サーマルヘッド
２１…プラテンロール
２２…原紙送りロール対
２３…ライトパルスモータ
２４…原紙カッタ
２５…ドラム駆動モータ
２６…版胴
２７…原紙クランプ部
２８…原紙確認センサ
２８ａ…検出片
２９…検出片
３０…基準位置検出センサ
３１…ロータリエンコーダ
３２…スキージロール
３３…ドクターロール
３４…インク
３５…プレスロール
３６…ソレノイド装置
３７…印刷用紙
３８…給紙台
３９，４０…１次給紙ロール
４１…２次給紙ロール対
４２…給紙センサ
４３…給紙クラッチ
４４…用紙分離爪
４５…搬送通路
４６…排紙台
４７…排版搬送ロール対
４８…排版モータ
４９…排版ボックス
５０…排版センサ
５１…操作パネル
５２…キー入力部
５３…表示部
５４…コネクタ
５５…無線ユニット
５６…脱着ボタン
５７…呼び出しスイッチ
５８…装着部
６０…出力部
６１…液晶表示部
６２…ＬＥＤ表示部
６２ａ〜６２ｇ…ＬＥＤ
６３…スピーカ
６４…音停止スイッチ
６５…コネクタ
６６…制御部
６７…音出力部
６９…記憶手段
７０…着脱検出部
７１…無線受信部
７３…無線通信部
７３ａ…着脱検出部
７３ｂ…無線送信部
７４…制御部
７５…外部インタフェース部
７９，８０…サイドフェンス
８１…エンドフェンス
２０３…給紙架台
２１２…架台上給紙部
２１３…架台下給紙部
２１８…給紙台
２１９…１次給紙ロール
２２０…上搬送ロール対
２２４…給紙台
２２５…１次給紙ロール
２２６…下搬送ロール対
【図１】
2004216734.tif 000003
【図２】
2004216734.tif 000004
【図３】
2004216734.tif 000005
【図４】
2004216734.tif 000006
【図５】
2004216734.tif 000007
【図６】
2004216734.tif 000008
【図７】
2004216734.tif 000009
【図８】
2004216734.tif 000010
【図９】
2004216734.tif 000011
【図１０】
2004216734.tif 000012
【図１１】
2004216734.tif 000013
【図１２】
2004216734.tif 000014
【図１３】
2004216734.tif 000015
【図１４】
2004216734.tif 000016
【図１５】
2004216734.tif 000017
【図１６】
2004216734.tif 000018